(57)【特許請求の範囲】
【請求項１】
入力されたアナログ映像信号をデジタル映像信号に変換する映像信号アナログ・デジタル変換回路部と、入力されたアナログ音声信号をデジタル音声信号に変換する音声信号アナログ・デジタル変換回路部と、前記デジタル映像信号及びデジタル音声信号をパケット化された送信ベースバンド信号に変換する送信信号処理回路部と、前記送信ベースバンド信号を高周波信号に変換する高周波送信回路部と、前記送信信号処理回路部の動作を制御する送信側制御回路部と、前記送信信号処理回路部及び高周波送信回路部に係わる基準信号を発生する送信側基準信号発生回路部と、前記各回路部に電源を供給する送信側電源回路部とを、略四角形状のプリント基板の表裏両面に配設してなるビデオ無線送信機であって、
前記プリント基板の一方の面に、前記映像信号アナログ・デジタル変換回路部、高周波送信回路部及び送信側制御回路部が配設され、前記プリント基板の他方の面に、前記音声信号アナログ・デジタル変換回路部、送信信号処理回路部、送信側基準信号発生回路部及び送信側電源回路部が配設されていることを特徴とするビデオ無線送信機。
【請求項２】
前記プリント基板の一方の面において、前記プリント基板の第１の辺に近接して前記高周波送信回路部が配設され、前記第１の辺に隣り合う第２の辺と前記第１の辺に対向する第４の辺との両辺に近接して前記送信側制御回路部が配設され、前記第１の辺に隣り合う第３の辺と前記第１の辺に対向する第４の辺との両辺に近接して前記映像信号アナログ・デジタル変換回路部が配設されていることを特徴とする請求項１記載のビデオ無線送信機。
【請求項３】
前記プリント基板の他方の面において、前記プリント基板の第１の辺に近接して前記送信信号処理回路部が配設され、前記第１の辺に隣り合う第２の辺と前記第１の辺に対向する第４の辺とで挟まれた一隅に前記送信側基準信号発生回路部が配設され、前記第１の辺に隣り合う第３の辺と前記第１の辺に対向する第４の辺とで挟まれた一隅に前記送信側電源回路部が配設され、前記送信側基準信号発生回路部と前記送信側電源回路部に挟まれ前記第４の辺に近接して前記音声信号アナログ・デジタル変換回路部が配設されていることを特徴とする請求項１または２に記載のビデオ無線送信機。
【請求項４】
前記プリント基板は、表面層と、複数の中間層と、裏面層とからなる積層基板であって、前記表面層に前記映像信号アナログ・デジタル変換回路部、高周波送信回路部及び送信側制御回路部が配設され、前記裏面層に前記音声信号アナログ・デジタル変換回路部、送信信号処理回路部、送信側基準信号発生回路部及び送信側電源回路部が配設され、前記複数の中間層の少なくとも１層に、前記各回路部に係わるアースパターンが配設されていることを特徴とする請求項１から３までのいずれか１項に記載のビデオ無線送信機。
【請求項５】
前記表面層と前記アースパターンが配設された中間層とに挟まれた他の中間層の少なくとも１層に、前記送信側電源回路部が電源を供給する各回路部との接続に係わる電源パターンが配設されていることを特徴とする請求項４記載のビデオ無線送信機。
【請求項６】
前記裏面層と前記アースパターンが配設された中間層とに挟まれた他の中間層の少なくとも１層に、前記送信信号処理回路部に係わる信号パターンが配設されていることを特徴とする請求項４または５に記載のビデオ無線送信機。
【請求項７】
入力された高周波信号をパケット化された受信ベースバンド信号に変換する高周波受信回路部と、前記パケット化された受信ベースバンド信号をもとのデジタル映像信号及びデジタル音声信号に変換する受信信号処理回路部と、前記デジタル映像信号をアナログ映像信号に変換する映像信号デジタル・アナログ変換回路部と、前記デジタル音声信号をアナログ音声信号に変換する音声信号デジタル・アナログ変換回路部と、前記受信信号処理回路部の動作を制御する受信側制御回路部と、前記受信信号処理回路部及び高周波受信路部に係わる基準信号を発生する受信側基準信号発生回路部と、前記各回路部に電源を供給する受信側電源回路部とを、略四角形状のプリント基板の表裏両面に配設してなるビデオ無線受信機であって、
前記プリント基板の一方の面に、前記高周波受信回路部、映像信号デジタル・アナログ変換回路部及び受信側制御回路部が配設され、前記プリント基板の他方の面に、前記受信信号処理回路部、音声信号デジタル・アナログ変換回路部、受信側基準信号発生回路部及び受信側電源回路部が配設されていることを特徴とするビデオ無線受信機。
【請求項８】
前記プリント基板の一方の面において、前記プリント基板の第１の辺に近接して前記高周波受信回路部が配設され、前記第１の辺に隣り合う第２の辺と前記第１の辺に対向する第４の辺との両辺に近接して前記受信側制御回路部が配設され、前記第１の辺に隣り合う第３の辺と前記第１の辺に対向する第４の辺との両辺に近接して前記映像信号デジタル・アナログ変換回路部が配設されていることを特徴とする請求項７記載のビデオ無線受信機。
【請求項９】
前記プリント基板の他方の面において、前記プリント基板の第１の辺に近接して前記受信信号処理回路部が配設され、前記第１の辺に隣り合う第２の辺と前記第１の辺に対向する第４の辺とで挟まれた一隅に前記受信側基準信号発生回路部が配設され、前記第１の辺に隣り合う第３の辺と前記第１の辺に対向する第４の辺とで挟まれた一隅に前記受信側電源回路部が配設され、前記受信側基準信号発生回路部と前記受信側電源回路部に挟まれ前記第４の辺に近接して前記音声信号デジタル・アナログ変換回路部が配設されていることを特徴とする請求項７または８に記載のビデオ無線受信機。
【請求項１０】
前記プリント基板は、表面層と、複数の中間層と、裏面層とからなる積層基板であって、前記表面層に前記高周波受信回路部、映像信号デジタル・アナログ変換回路部及び受信側制御回路部が配設され、前記裏面層に前記受信信号処理回路部、音声信号デジタル・アナログ変換回路部、受信側基準信号発生回路部及び受信側電源回路部が配設され、前記複数の中間層の少なくとも１層に、前記各回路部に係わるアースパターンが配設されていることを特徴とする請求項７から９までのいずれか１項に記載のビデオ無線受信機。
【請求項１１】
前記表面層と前記アースパターンが配設された中間層とに挟まれた他の中間層の少なくとも１層に、前記受信側電源回路部が電源を供給する各回路部との接続に係わる電源パターンが配設されていることを特徴とする請求項１０記載のビデオ無線受信機。
【請求項１２】
前記裏面層と前記アースパターンが配設された中間層とに挟まれた他の中間層の少なくとも１層に、前記受信信号処理回路部に係わる信号パターンが配設されていることを特徴とする請求項１０または１１に記載のビデオ無線受信機。
【請求項１３】
請求項１から６までのいずれか１項に記載のビデオ無線送信機と、請求項７から１２までのいずれか１項に記載のビデオ無線受信機とで構成されていることを特徴とするビデオ無線送受信システム。
【発明の詳細な説明】
【０００１】
【発明の属する技術分野】
本発明は、ビデオ信号を無線で送信するためのビデオ送信機と、前記無線で送信されたビデオ信号を受信するビデオ受信機とからなるビデオ無線送受信システムに関するものである。
【０００２】
【従来の技術】
図６は、従来のビデオ無線送受信システムの概略的構成を示すブロック回路図である。図６の従来のビデオ無線通信システム５０は、以下の回路構成からなる。ビデオ無線送受信システム５０は、ビデオ無線送信機５３とビデオ無線受信機５６からなる。
【０００３】
そして、ビデオ無線送信機５３の入力側には、例えばビデオテープレコーダー（ＶＴＲ）５２等が接続され、ビデオ無線送信機５３の出力側には、アンテナ５４が接続されている。また、ビデオ無線受信機５６の入力側には、アンテナ５５が接続され、ビデオ無線受信機５６の出力側には、例えばテレビジョン（ＴＶ）５７が接続されている。
【０００４】
次に、図６の従来のビデオ無線送受信システム５０の動作について説明する。ビデオ無線送信機５３において、ビデオテープレコーダー（ＶＴＲ）５２から出力された映像信号Ｐ及び音声信号Ｓは、ビデオ無線送信機５３により高周波信号ＲＦに変換されて、アンテナ５４からビデオ無線受信機５６へ送信される。
【０００５】
ビデオ無線受信機５６において、ビデオ無線送信機５３から送信された高周波信号ＲＦをアンテナ５５で受信する。受信した高周波信号ＲＦは、ビデオ無線受信機５６によりもとの映像信号Ｐ及び音声信号Ｓに変換される。この映像信号Ｐ及び音声信号Ｓは、テレビジョン（ＴＶ）５７に入力され、映像と音声に変換される。
【０００６】
上述のように、ビデオ無線送受信システム５０を用いることにより、例えばビデオテープレコーダー（ＶＴＲ）５２等の映像と音声を離れた場所に設置された例えばテレビジョン（ＴＶ）５７等で視聴することができる。また、ビデオテープレコーダー（ＶＴＲ）５２に屋外アンテナを接続し、ビデオテープレコーダー（ＶＴＲ）５２において、テレビジョン放送を選局し、選局したテレビジョン放送の映像信号Ｐ及び音声信号Ｓを出力するようにしておけば、屋内でテレビジョン信号を良好に受信できない場所においても、テレビジョン（ＴＶ）５７にて前記テレビジョン放送を視聴することができる。
【０００７】
また、映像信号Ｐ及び音声信号Ｓを、ビデオ無線送信機５３から高周波信号ＲＦでビデオ無線受信機５６へ送信するために、例えば高周波信号ＲＦの周波数帯域が２．４ＧＨｚ帯であり、スペクトラム拡散（Ｓｐｒｅａｄ  Ｓｐｅｃｔｒｕｍ）技術を用いている。一般にスペクトラム拡散技術を利用した通信方式においては、送信側で映像信号Ｐ及び音声信号Ｓ等の入力ベースバンド信号が変調され、さらに拡散符号を使用してスペクトラム拡散された後、高周波信号ＲＦとして送信される。そして、受信側で受信したスペクトラム拡散信号は、送信側と同一の拡散符号を使用して復調（逆拡散）されて、もとの映像信号Ｐ及び音声信号Ｓ等となる。
【０００８】
【発明が解決しようとする課題】
しかしながら、上記従来技術では、以下に述べるような問題があった。すなわち、ビデオ無線送信機５３及びビデオ無線受信機５６の小型化を図るために、それぞれを構成する各回路を小面積の１つのプリント基板上に配設した場合、各回路間の信号の相互干渉、他回路からの異なる信号の混入等により、通信信号の欠落や誤り率の劣化を引き起こし、映像及び音声を良好に送受信できないという問題が生じていた。
【０００９】
また、上記問題を解決するために、構成する各回路を小面積の１つのプリント基板上にどのように配設するかを、ビデオ無線送信機５３及びビデオ無線受信機５６それぞれにおいて検討する必要があった。
【００１０】
本発明は、上記のような課題を解決するためになされたものであって、各回路を回路ブロック毎に分離し、プリント基板上での各回路ブロックの配設方法に工夫をこらすことにより、各回路間の信号の相互干渉及び他回路からの異なる信号の混入等を低減させることで通信信号の欠落や誤り率の劣化を防止し、映像及び音声を良好に送受信できるビデオ無線送受信システムを提供することを目的とする。
【００１１】
【課題を解決するための手段】
上記課題を解決するため、本発明は、入力されたアナログ映像信号をデジタル映像信号に変換する映像信号アナログ・デジタル変換回路部と、入力されたアナログ音声信号をデジタル音声信号に変換する音声信号アナログ・デジタル変換回路部と、前記デジタル映像信号及びデジタル音声信号をパケット化された送信ベースバンド信号に変換する送信信号処理回路部と、前記送信ベースバンド信号を高周波信号に変換する高周波送信回路部と、前記送信信号処理回路部の動作を制御する送信側制御回路部と、前記送信信号処理回路部及び高周波送信回路部に係わる基準信号を発生する送信側基準信号発生回路部と、前記各回路部に電源を供給する送信側電源回路部とを、略四角形状のプリント基板の表裏両面に配設してなるビデオ無線送信機であって、
前記プリント基板の一方の面に、前記映像信号アナログ・デジタル変換回路部、高周波送信回路部及び送信側制御回路部が配設され、前記プリント基板の他方の面に、前記音声信号アナログ・デジタル変換回路部、送信信号処理回路部、送信側基準信号発生回路部及び送信側電源回路部が配設されていることを特徴とするものである。
【００１２】
また、本発明は、前記プリント基板の一方の面において、前記プリント基板の第１の辺に近接して前記高周波送信回路部が配設され、前記第１の辺に隣り合う第２の辺と前記第１の辺に対向する第４の辺との両辺に近接して前記送信側制御回路部が配設され、前記第１の辺に隣り合う第３の辺と前記第１の辺に対向する第４の辺との両辺に近接して前記映像信号アナログ・デジタル変換回路部が配設されていることを特徴とするものである。
【００１３】
また、本発明は、前記プリント基板の他方の面において、前記プリント基板の第１の辺に近接して前記送信信号処理回路部が配設され、前記第１の辺に隣り合う第２の辺と前記第１の辺に対向する第４の辺とで挟まれた一隅に前記送信側基準信号発生回路部が配設され、前記第１の辺に隣り合う第３の辺と前記第１の辺に対向する第４の辺とで挟まれた一隅に前記送信側電源回路部が配設され、前記送信側基準信号発生回路部と前記送信側電源回路部に挟まれ前記第４の辺に近接して前記音声信号アナログ・デジタル変換回路部が配設されていることを特徴とするものである。
【００１４】
また、本発明は、前記プリント基板が、表面層と、複数の中間層と、裏面層とからなる積層基板であって、前記表面層に前記映像信号アナログ・デジタル変換回路部、高周波送信回路部及び送信側制御回路部が配設され、前記裏面層に前記音声信号アナログ・デジタル変換回路部、送信信号処理回路部、送信側基準信号発生回路部及び送信側電源回路部が配設され、前記複数の中間層の少なくとも１層に、前記各回路部に係わるアースパターンが配設されていることを特徴とするものである。
【００１５】
また、本発明は、前記表面層と前記アースパターンが配設された中間層とに挟まれた他の中間層の少なくとも１層に、前記送信側電源回路部が電源を供給する各回路部との接続に係わる電源パターンが配設されていることを特徴とするものである。
【００１６】
また、本発明は、前記裏面層と前記アースパターンが配設された中間層とに挟まれた他の中間層の少なくとも１層に、前記送信信号処理回路部に係わる信号パターンが配設されていることを特徴とするものである。
【００１７】
また、本発明は、入力された高周波信号をパケット化された受信ベースバンド信号に変換する高周波受信回路部と、前記パケット化された受信ベースバンド信号をもとのデジタル映像信号及びデジタル音声信号に変換する受信信号処理回路部と、前記デジタル映像信号をアナログ映像信号に変換する映像信号デジタル・アナログ変換回路部と、前記デジタル音声信号をアナログ音声信号に変換する音声信号デジタル・アナログ変換回路部と、前記受信信号処理回路部の動作を制御する受信側制御回路部と、前記受信信号処理回路部及び高周波受信路部に係わる基準信号を発生する受信側基準信号発生回路部と、前記各回路部に電源を供給する受信側電源回路部とを、略四角形状のプリント基板の表裏両面に配設してなるビデオ無線受信機であって、
前記プリント基板の一方の面に、前記高周波受信回路部、映像信号デジタル・アナログ変換回路部及び受信側制御回路部が配設され、前記プリント基板の他方の面に、前記受信信号処理回路部、音声信号デジタル・アナログ変換回路部、受信側基準信号発生回路部及び受信側電源回路部が配設されていることを特徴とするものである。
【００１８】
また、本発明は、前記プリント基板の一方の面において、前記プリント基板の第１の辺に近接して前記高周波受信回路部が配設され、前記第１の辺に隣り合う第２の辺と前記第１の辺に対向する第４の辺との両辺に近接して前記受信側制御回路部が配設され、前記第１の辺に隣り合う第３の辺と前記第１の辺に対向する第４の辺との両辺に近接して前記映像信号デジタル・アナログ変換回路部が配設されていることを特徴とするものである。
【００１９】
また、本発明は、前記プリント基板の他方の面において、前記プリント基板の第１の辺に近接して前記受信信号処理回路部が配設され、前記第１の辺に隣り合う第２の辺と前記第１の辺に対向する第４の辺とで挟まれた一隅に前記受信側基準信号発生回路部が配設され、前記第１の辺に隣り合う第３の辺と前記第１の辺に対向する第４の辺とで挟まれた一隅に前記受信側電源回路部が配設され、前記受信側基準信号発生回路部と前記受信側電源回路部に挟まれ前記第４の辺に近接して前記音声信号デジタル・アナログ変換回路部が配設されていることを特徴とするものである。
【００２０】
また、本発明は、前記プリント基板が、表面層と、複数の中間層と、裏面層とからなる積層基板であって、前記表面層に前記高周波受信回路部、映像信号デジタル・アナログ変換回路部及び受信側制御回路部が配設され、前記裏面層に前記受信信号処理回路部、音声信号デジタル・アナログ変換回路部、受信側基準信号発生回路部及び受信側電源回路部が配設され、前記複数の中間層の少なくとも１層に、前記各回路部に係わるアースパターンが配設されていることを特徴とするものである。
【００２１】
また、本発明は、前記表面層と前記アースパターンが配設された中間層とに挟まれた他の中間層の少なくとも１層に、前記受信側電源回路部が電源を供給する各回路部との接続に係わる電源パターンが配設されていることを特徴とするものである。
【００２２】
また、本発明は、前記裏面層と前記アースパターンが配設された中間層とに挟まれた他の中間層の少なくとも１層に、前記受信信号処理回路部に係わる信号パターンが配設されていることを特徴とするものである。
【００２３】
また、本発明のビデオ無線送受信システムは、前記ビデオ無線送信機と、前記ビデオ無線受信機とで構成されていることを特徴とするものである。
【００２４】
【発明の実施の形態】
図１は、本発明の実施形態に係わるビデオ無線送信機のプリント基板上の各回路の配設を示す略示図であり、図２は、本発明の実施形態に係わるビデオ無線送信機の概略的構成を示すブロック回路図である。以下、本発明の実施形態について、図１及び図２を参照して説明する。
【００２５】
図２は、本実施形態のビデオ無線送信機１０の概略的構成を示すブロック回路図である。図２の本実施形態のビデオ無線送信機１０は、以下の回路構成からなる。ビデオ無線送信機１０は、映像信号アナログ・デジタル変換回路部１１、音声信号アナログ・デジタル変換回路部１２、送信信号処理回路部１３、高周波送信回路部１４、送信側制御回路部１５、送信側基準信号発生回路部１６、送信側電源回路部１７、アンテナ１８及び入力端子１９ａ、１９ｂからなる。
【００２６】
入力端子１９ａは、映像信号アナログ・デジタル変換回路部１１の入力側に接続され、映像信号アナログ・デジタル変換回路部１１の出力側は、送信信号処理回路部１３の入力側に接続される。また、入力端子１９ｂは、音声信号アナログ・デジタル変換回路部１２の入力側に接続され、音声信号アナログ・デジタル変換回路部１２の出力側は、送信信号処理回路部１３の入力側に接続されている。
【００２７】
また、送信信号処理回路部１３の出力側は、高周波送信回路部１４の入力側に接続され、高周波送信回路部１４の出力側は、アンテナ１８に接続されている。また、送信側制御回路部１５が、送信信号処理回路部１３に接続され、送信側基準信号発生回路部１６が、送信信号処理回路部１３及び高周波送信回路部１４に接続されている。
【００２８】
そして、送信側電源回路部１７が、映像信号アナログ・デジタル変換回路部１１、音声信号アナログ・デジタル変換回路部１２、送信信号処理回路部１３、高周波送信回路部１４、送信側制御回路部１５及び送信側基準信号発生回路部１６のそれぞれに接続されている。
【００２９】
次に、図２の本実施形態のビデオ無線送信機１０の動作について説明する。ビデオ無線送信機１０において、入力端子１９ａから入力されたアナログ映像信号は、映像信号アナログ・デジタル変換回路部１１によってデジタル映像信号に変換される。また、入力端子１９ｂから入力されたアナログ音声信号は、音声信号アナログ・デジタル変換回路部１２によってデジタル音声信号に変換される。
【００３０】
前記デジタル映像信号及びデジタル音声信号は、送信信号処理回路部１３によって、パケット化された送信ベースバンド信号に変換される。そして、前記送信ベースバンド信号は、高周波送信回路部１４によって高周波信号に変換されて、アンテナ１８から後述するビデオ無線受信機２０へ送信される。
【００３１】
また、送信側制御回路部１５は、送信信号処理回路部１３の動作を制御し、送信側基準信号発生回路部１６は、送信信号処理回路部１３及び高周波送信回路部１４に係わる基準信号（例えば４４ＭＨｚ）を発生する。また、送信側電源回路部１７は、映像信号アナログ・デジタル変換回路部１１、音声信号アナログ・デジタル変換回路部１２、送信信号処理回路部１３、高周波送信回路部１４、送信側制御回路部１５及び送信側基準信号発生回路部１６のそれぞれに電源を供給している。
【００３２】
上述のように、ビデオ無線送信機１０において、入力端子１９ａ、１９ｂに、例えばビデオテープレコーダー等（図示しない）を接続することにより、前記ビデオテープレコーダー等（図示しない）の映像と音声を離れた場所に設置された後述するビデオ無線受信機２０へ送信することができる。
【００３３】
また、前記アナログ映像信号及びアナログ音声信号を、ビデオ無線送信機１０から高周波信号で後述するビデオ無線受信機２０へ送信するために、例えば高周波信号の周波数帯域が２．４ＧＨｚ帯であり、スペクトラム拡散（ＳｐｒｅａｄＳｐｅｃｔｒｕｍ）技術を用いている。一般にスペクトラム拡散技術を利用した通信方式においては、送信側でアナログ映像信号及びアナログ音声信号等の入力ベースバンド信号が変調され、さらに拡散符号を使用してスペクトラム拡散された後、高周波信号として送信される。そして、受信側で受信したスペクトラム拡散信号は、送信側と同一の拡散符号を使用して復調（逆拡散）されて、もとのアナログ映像信号及びアナログ音声信号等となる。
【００３４】
図１は、本実施形態のビデオ無線送信機のプリント基板上の各回路の配設を示す略示図であり、（ａ）は前記プリント基板の一方の面から見た平面図であり、（ｂ）は前記プリント基板の一部分を拡大した断面図であり、（ｃ）は前記プリント基板の他方の面から見た平面図である。次に、図１を用いて、本実施形態のビデオ無線送信機１０のプリント基板３０上における各回路の配設について説明する。
【００３５】
図１（ａ）及び図１（ｃ）は、図２で説明したビデオ無線送信機１０と同じ回路構成を、略四角形状のプリント基板３０の表裏両面に配設した様子を示したものである。図１（ａ）に示すプリント基板３０の一方の面に、映像信号アナログ・デジタル変換回路部１１、高周波送信回路部１４及び送信側制御回路部１５が配設され、図１（ｃ）に示すプリント基板３０の他方の面に、音声信号アナログ・デジタル変換回路部１２、送信信号処理回路部１３、送信側基準信号発生回路部１６及び送信側電源回路部１７が配設されている。
【００３６】
すなわち、高周波送信回路部１４とデジタル信号を扱う送信信号処理回路部１３とをプリント基板３０の表裏に分離配設することにより、送信信号処理回路部１３から発生するデジタル信号ノイズが高周波送信回路部１４に混入することを低減できる。
【００３７】
また、高周波送信回路部１４と前記基準信号（例えば４４ＭＨｚ）を発生する送信側基準信号発生回路部１６とをプリント基板３０の表裏に分離配設することにより、送信側基準信号発生回路部１６から発生する基準信号（例えば４４ＭＨｚ）及びその高調波成分ノイズが高周波送信回路部１４に混入することを低減できる。
【００３８】
また、高周波送信回路部１４と送信側電源回路部１７とをプリント基板３０の表裏に分離配設することにより、送信側電源回路部１７から発生する電源ノイズが高周波送信回路部１４に混入することを低減できる。さらに、送信側電源回路部１７が接続される外部電源（図示しない）からの外部電源ノイズが高周波送信回路部１４に混入することを低減できる。
【００３９】
また、映像信号アナログ・デジタル変換回路部１１と音声信号アナログ・デジタル変換回路部１２とをプリント基板３０の表裏に分離配設することにより、映像信号と音声信号との間の相互干渉を低減できる。
【００４０】
図１（ａ）に示すプリント基板３０の一方の面において、プリント基板３０の第１の辺３０ａに近接して高周波送信回路部１４が配設され、第１の辺３０ａに隣り合う第２の辺３０ｂと第１の辺３０ａに対向する第４の辺３０ｄとの両辺に近接して送信側制御回路部１５が配設され、第１の辺３０ａに隣り合う第３の辺３０ｃと第１の辺３０ａに対向する第４の辺３０ｄとの両辺に近接して映像信号アナログ・デジタル変換回路部１１が配設されている。
【００４１】
すなわち、高周波送信回路部１４を第１の辺３０ａ側に、送信側制御回路部１５及び映像信号アナログ・デジタル変換回路部１１を第１の辺３０ａに対向する第４の辺３０ｄ側に、それぞれ分離配設することにより、送信側制御回路部１５及び映像信号アナログ・デジタル変換回路部１１から発生するデジタル信号ノイズが高周波送信回路部１４に混入することを低減できる。
【００４２】
図１（ｃ）に示すプリント基板３０の他方の面において、プリント基板３０の第１の辺３０ａに近接して送信信号処理回路部１３が配設され、第１の辺３０ａに隣り合う第２の辺３０ｂと第１の辺３０ａに対向する第４の辺３０ｄとで挟まれた一隅に送信側基準信号発生回路部１６が配設され、第１の辺３０ａに隣り合う第３の辺３０ｃと第１の辺３０ａに対向する第４の辺３０ｄとで挟まれた一隅に送信側電源回路部１７が配設され、送信側基準信号発生回路部１６と送信側電源回路部１７に挟まれ第４の辺３０ｄに近接して音声信号アナログ・デジタル変換回路部１２が配設されている。
【００４３】
すなわち、送信信号処理回路部１３を第１の辺３０ａ側に、音声信号アナログ・デジタル変換回路部１２を第１の辺３０ａに対向する第４の辺３０ｄ側に、それぞれ分離配設することにより、送信信号処理回路部１３から発生するデジタル信号ノイズが音声信号アナログ・デジタル変換回路部１２に混入することを低減できる。
【００４４】
また、送信信号処理回路部１３を第１の辺３０ａ側に、送信側電源回路部１７を第１の辺３０ａに対向する第４の辺３０ｄ側に、それぞれ分離配設することにより、送信信号処理回路部１３から発生するデジタル信号ノイズが送信側電源回路部１７を介して送信側電源回路部１７に接続される外部電源（図示しない）への漏れを低減できるとともに、外部電源（図示しない）からの外部電源ノイズが送信信号処理回路部１３に混入することを低減できる。
【００４５】
また、送信側基準信号発生回路部１６を第２の辺３０ｂと第４の辺３０ｄとで挟まれた一隅に配設し、送信側電源回路部１７を第３の辺３０ｃと第４の辺３０ｄとで挟まれた一隅に配設し、送信側基準信号発生回路部１６と送信側電源回路部１７との間隔を第４の辺３０ｄ側で最大限離すことにより、送信側基準信号発生回路部１６から発生する基準信号（例えば４４ＭＨｚ）及びその高調波成分ノイズが送信側電源回路部１７を介して送信側電源回路部１７に接続される外部電源（図示しない）への漏れを低減できるとともに、外部電源（図示しない）からの外部電源ノイズが送信側基準信号発生回路部１６に混入することを低減できる。
【００４６】
図１（ｂ）はプリント基板３０の一部分を拡大した断面図であり、プリント基板３０を積層基板とした場合における各層間に配設されたパターンの様子を示したものである。プリント基板３０は、表面層３１と、複数の中間層３２、３３、３４、３５と、裏面層３６とからなる積層基板であって、表面層３１に映像信号アナログ・デジタル変換回路部１１、高周波送信回路部１４及び送信側制御回路部１５が配設され、裏面層３６に音声信号アナログ・デジタル変換回路部１２、送信信号処理回路部１３、送信側基準信号発生回路部１６及び送信側電源回路部１７が配設され、前記複数の中間層の少なくとも１層、図１（ｂ）では、例えば中間層３３に前記各回路部に係わるアースパターンが配設されている。そして、前記各回路部と前記アースパターンとは、スルホール孔（図示しない）で接続されている。
【００４７】
すなわち、表面層３１に配設された映像信号アナログ・デジタル変換回路部１１、高周波送信回路部１４及び送信側制御回路部１５と、裏面層３６に配設された音声信号アナログ・デジタル変換回路部１２、送信信号処理回路部１３、送信側基準信号発生回路部１６及び送信側電源回路部１７とを、中間層３３に配設された前記アースパターンにより電磁遮蔽することにより、プリント基板３０の表裏両面にそれぞれ配設された回路間の分離効果をさらに高めるものである。
【００４８】
したがって、高周波送信回路部１４とデジタル信号を扱う送信信号処理回路部１３とをプリント基板３０の表裏に分離配設し、さらに前記アースパターンにより電磁遮蔽することにより、送信信号処理回路部１３から発生するデジタル信号ノイズが高周波送信回路部１４に混入することをより効果的に低減できる。
【００４９】
また、高周波送信回路部１４と前記基準信号（例えば４４ＭＨｚ）を発生する送信側基準信号発生回路部１６とをプリント基板３０の表裏に分離配設し、さらに前記アースパターンにより電磁遮蔽することにより、送信側基準信号発生回路部１６から発生する基準信号（例えば４４ＭＨｚ）及びその高調波成分ノイズが高周波送信回路部１４に混入することをより効果的に低減できる。
【００５０】
また、高周波送信回路部１４と送信側電源回路部１７とをプリント基板３０の表裏に分離配設し、さらに前記アースパターンにより電磁遮蔽することにより、送信側電源回路部１７から発生する電源ノイズが高周波送信回路部１４に混入することをより効果的に低減できる。さらに、送信側電源回路部１７が接続される外部電源（図示しない）からの外部電源ノイズが高周波送信回路部１４に混入することをより効果的に低減できる。
【００５１】
また、映像信号アナログ・デジタル変換回路部１１と音声信号アナログ・デジタル変換回路部１２とをプリント基板３０の表裏に分離配設し、さらに前記アースパターンにより電磁遮蔽することにより、映像信号と音声信号との間の相互干渉をより効果的に低減できる。
【００５２】
図１（ｂ）において、表面層３１と前記アースパターンが配設された中間層３３とに挟まれた他の中間層の少なくとも１層、図１（ｂ）では、例えば中間層３２に、前記送信側電源回路部１７が電源を供給する各回路部との接続に係わる電源パターンが配設されている。そして、送信側電源回路部１７と前記電源パターンとは、スルホール孔（図示しない）で接続されている。
【００５３】
すなわち、表面層３１に配設された映像信号アナログ・デジタル変換回路部１１、高周波送信回路部１４及び送信側制御回路部１５と、裏面層３６に配設された音声信号アナログ・デジタル変換回路部１２、送信信号処理回路部１３、送信側基準信号発生回路部１６及び送信側電源回路部１７とを、中間層３３に配設された前記アースパターン及び中間層３２に配設された前記電源パターンの両パターンにより２重に電磁遮蔽することにより、プリント基板３０の表裏両面にそれぞれ配設された回路間の分離効果をさらに高めるものである。
【００５４】
したがって、高周波送信回路部１４とデジタル信号を扱う送信信号処理回路部１３とをプリント基板３０の表裏に分離配設し、さらに前記アースパターン及び前記電源パターンの両パターンにより２重に電磁遮蔽することにより、送信信号処理回路部１３から発生するデジタル信号ノイズが高周波送信回路部１４に混入することをより効果的に低減できる。
【００５５】
また、高周波送信回路部１４と前記基準信号（例えば４４ＭＨｚ）を発生する送信側基準信号発生回路部１６とをプリント基板３０の表裏に分離配設し、さらに前記アースパターン及び前記電源パターンの両パターンにより２重に電磁遮蔽することにより、送信側基準信号発生回路部１６から発生する基準信号（例えば４４ＭＨｚ）及びその高調波成分ノイズが高周波送信回路部１４に混入することをより効果的に低減できる。
【００５６】
また、高周波送信回路部１４と送信側電源回路部１７とをプリント基板３０の表裏に分離配設し、さらに前記アースパターン及び前記電源パターンの両パターンにより２重に電磁遮蔽することにより、送信側電源回路部１７から発生する電源ノイズが高周波送信回路部１４に混入することをより効果的に低減できる。さらに、送信側電源回路部１７が接続される外部電源（図示しない）からの外部電源ノイズが高周波送信回路部１４に混入することをより効果的に低減できる。
【００５７】
また、映像信号アナログ・デジタル変換回路部１１と音声信号アナログ・デジタル変換回路部１２とをプリント基板３０の表裏に分離配設し、さらに前記アースパターン及び前記電源パターンの両パターンにより２重に電磁遮蔽することにより、映像信号と音声信号との間の相互干渉をより効果的に低減できる。
【００５８】
図１（ｂ）において、裏面層３６と前記アースパターンが配設された中間層３３とに挟まれた他の中間層の少なくとも１層、図１（ｂ）では、例えば中間層３５に送信信号処理回路部１３に係わる信号パターンが配設されている。そして、送信信号処理回路部１３と前記信号パターンとは、スルホール孔（図示しない）で接続されている。
【００５９】
すなわち、デジタル信号を扱う送信信号処理回路部１３に係わる信号パターンを中間層３５に配設することにより、前記信号パターンから放射されるデジタル信号ノイズを低減することができる。
【００６０】
図３は、本発明の実施形態に係わるビデオ無線受信機のプリント基板上の各回路の配設を示す略示図であり、図４は、本発明の実施形態に係わるビデオ無線受信機の概略的構成を示すブロック回路図である。以下、本発明の実施形態について、図３及び図４を参照して説明する。
【００６１】
図４は、本実施形態のビデオ無線受信機２０の概略的構成を示すブロック回路図である。図４の本実施形態のビデオ無線受信機２０は、以下の回路構成からなる。ビデオ無線受信機２０は、映像信号デジタル・アナログ変換回路部２１、音声信号デジタル・アナログ変換回路部２２、受信信号処理回路部２３、高周波受信回路部２４、受信側制御回路部２５、受信側基準信号発生回路部２６、受信側電源回路部２７、アンテナ２８及び出力端子２９ａ、２９ｂからなる。
【００６２】
アンテナ２８は、高周波受信回路部２４の入力側に接続され、高周波受信回路部２４の出力側は、受信信号処理回路部２３の入力側に接続されている。また、受信信号処理回路部２３の出力側は、映像信号デジタル・アナログ変換回路部２１及び音声信号デジタル・アナログ変換回路部２２それぞれの入力側に接続されている。また、映像信号デジタル・アナログ変換回路部２１の出力側は、出力端子２９ａに接続され、音声信号デジタル・アナログ変換回路部２２の出力側は、出力端子２９ｂに接続されている。
【００６３】
また、受信側制御回路部２５が、受信信号処理回路部２３に接続され、受信側基準信号発生回路部２６が、受信信号処理回路部２３及び高周波受信回路部２４に接続されている。
【００６４】
そして、受信側電源回路部２７が、映像信号デジタル・アナログ変換回路部２１、音声信号デジタル・アナログ変換回路部２２、受信信号処理回路部２３、高周波受信回路部２４、受信側制御回路部２５及び受信側基準信号発生回路部２６のそれぞれに接続されている。
【００６５】
次に、図４の本実施形態のビデオ無線受信機２０の動作について説明する。ビデオ無線受信機２０において、前述のビデオ無線送信機１０からの高周波信号をアンテナ２８から受信し、入力された高周波信号は、高周波受信回路部２４によってパケット化された受信ベースバンド信号に変換される。前記パケット化された受信ベースバンド信号は、受信信号処理回路部２３によってもとのデジタル映像信号及びデジタル音声信号に変換される。
【００６６】
前記デジタル映像信号は、映像信号デジタル・アナログ変換回路部２１によってアナログ映像信号に変換されて出力端子２９ａより出力される。また、前記デジタル音声信号は、音声信号デジタル・アナログ変換回路部２２によってアナログ音声信号に変換されて出力端子２９ｂより出力される。
【００６７】
また、受信側制御回路部２５は、受信信号処理回路部２３の動作を制御し、受信側基準信号発生回路部２６は、高周波受信回路部２４及び受信信号処理回路部２３に係わる基準信号（例えば４４ＭＨｚ）を発生する。また、受信側電源回路部２７は、映像信号デジタル・アナログ変換回路部２１、音声信号デジタル・アナログ変換回路部２２、受信信号処理回路部２３、高周波受信回路部２４、受信側制御回路部２５及び受信側基準信号発生回路部２６のそれぞれに電源を供給している。
【００６８】
上述のように、ビデオ無線受信機２０において、出力端子２９ａ、２９ｂに、例えばテレビジョン等（図示しない）を接続することにより、離れた場所に設置された前述のビデオ無線送信機１０から送信された映像と音声を視聴することができる。
【００６９】
また、前述のビデオ無線送信機１０とビデオ無線受信機２０との間の通信方式として、例えば高周波信号の周波数帯域が２．４ＧＨｚ帯であり、スペクトラム拡散（Ｓｐｒｅａｄ  Ｓｐｅｃｔｒｕｍ）技術を用いている。一般にスペクトラム拡散技術を利用した通信方式においては、送信側でアナログ映像信号及びアナログ音声信号等の入力ベースバンド信号が変調され、さらに拡散符号を使用してスペクトラム拡散された後、高周波信号として送信される。そして、受信側で受信したスペクトラム拡散信号は、送信側と同一の拡散符号を使用して復調（逆拡散）されて、もとのアナログ映像信号及びアナログ音声信号等となる。
【００７０】
図３は、本実施形態のビデオ無線受信機のプリント基板上の各回路の配設を示す略示図であり、（ａ）は前記プリント基板の一方の面から見た平面図であり、（ｂ）は前記プリント基板の一部分を拡大した断面図であり、（ｃ）は前記プリント基板の他方の面から見た平面図である。次に、図３を用いて、本実施形態のビデオ無線受信機２０のプリント基板４０上における各回路の配設について説明する。
【００７１】
図３（ａ）及び図３（ｃ）は、図４で説明したビデオ無線受信機２０と同じ回路構成を、略四角形状のプリント基板４０の表裏両面に配設した様子を示したものである。図３（ａ）に示すプリント基板４０の一方の面に、映像信号デジタル・アナログ変換回路部２１、高周波受信回路部２４及び受信側制御回路部２５が配設され、図３（ｃ）に示すプリント基板４０の他方の面に、音声信号デジタル・アナログ変換回路部２２、受信信号処理回路部２３、受信側基準信号発生回路部２６及び受信側電源回路部２７が配設されている。
【００７２】
すなわち、高周波受信回路部２４とデジタル信号を扱う受信信号処理回路部２３とをプリント基板４０の表裏に分離配設することにより、受信信号処理回路部２３から発生するデジタル信号ノイズが高周波受信回路部２４に混入することを低減できる。
【００７３】
また、高周波受信回路部２４と前記基準信号（例えば４４ＭＨｚ）を発生する受信側基準信号発生回路部２６とをプリント基板４０の表裏に分離配設することにより、受信側基準信号発生回路部２６から発生する基準信号（例えば４４ＭＨｚ）及びその高調波成分ノイズが高周波受信回路部２４に混入することを低減できる。
【００７４】
また、高周波受信回路部２４と受信側電源回路部２７とをプリント基板４０の表裏に分離配設することにより、受信側電源回路部２７から発生する電源ノイズが高周波受信回路部２４に混入することを低減できる。さらに、受信側電源回路部２７が接続される外部電源（図示しない）からの外部電源ノイズが高周波受信回路部２４に混入することを低減できる。
【００７５】
また、映像信号デジタル・アナログ変換回路部２１と音声信号デジタル・アナログ変換回路部２２とをプリント基板４０の表裏に分離配設することにより、映像信号と音声信号との間の相互干渉を低減できる。
【００７６】
図３（ａ）に示すプリント基板４０の一方の面において、プリント基板４０の第１の辺４０ａに近接して高周波受信回路部２４が配設され、第１の辺４０ａに隣り合う第２の辺４０ｂと第１の辺４０ａに対向する第４の辺４０ｄとの両辺に近接して受信側制御回路部２５が配設され、第１の辺４０ａに隣り合う第３の辺４０ｃと第１の辺４０ａに対向する第４の辺４０ｄとの両辺に近接して映像信号デジタル・アナログ変換回路部２１が配設されている。
【００７７】
すなわち、高周波受信回路部２４を第１の辺４０ａ側に、受信側制御回路部２５及び映像信号デジタル・アナログ変換回路部２１を第１の辺４０ａに対向する第４の辺４０ｄ側に、それぞれ分離配設することにより、受信側制御回路部２５及び映像信号デジタル・アナログ変換回路部２１から発生するデジタル信号ノイズが高周波受信回路部２４に混入することを低減できる。
【００７８】
図３（ｃ）に示すプリント基板４０の他方の面において、プリント基板４０の第１の辺４０ａに近接して受信信号処理回路部２３が配設され、第１の辺４０ａに隣り合う第２の辺４０ｂと第１の辺４０ａに対向する第４の辺４０ｄとで挟まれた一隅に受信側基準信号発生回路部２６が配設され、第１の辺４０ａに隣り合う第３の辺４０ｃと第１の辺４０ａに対向する第４の辺４０ｄとで挟まれた一隅に受信側電源回路部２７が配設され、受信側基準信号発生回路部２６と受信側電源回路部２７に挟まれ第４の辺４０ｄに近接して音声信号デジタル・アナログ変換回路部２２が配設されている。
【００７９】
すなわち、受信信号処理回路部２３を第１の辺４０ａ側に、音声信号デジタル・アナログ変換回路部２２を第１の辺４０ａに対向する第４の辺４０ｄ側に、それぞれ分離配設することにより、受信信号処理回路部２３から発生するデジタル信号ノイズが音声信号デジタル・アナログ変換回路部２２に混入することを低減できる。
【００８０】
また、受信信号処理回路部２３を第１の辺４０ａ側に、受信側電源回路部２７を第１の辺４０ａに対向する第４の辺４０ｄ側に、それぞれ分離配設することにより、受信信号処理回路部２３から発生するデジタル信号ノイズが受信側電源回路部２７を介して受信側電源回路部２７に接続される外部電源（図示しない）への漏れを低減できるとともに、外部電源（図示しない）からの外部電源ノイズが受信信号処理回路部２３に混入することを低減できる。
【００８１】
また、受信側基準信号発生回路部２６を第２の辺４０ｂと第４の辺４０ｄとで挟まれた一隅に配設し、受信側電源回路部２７を第３の辺４０ｃと第４の辺４０ｄとで挟まれた一隅に配設し、受信側基準信号発生回路部２６と受信側電源回路部２７との間隔を第４の辺４０ｄ側で最大限離すことにより、受信側基準信号発生回路部２６から発生する基準信号（例えば４４ＭＨｚ）及びその高調波成分ノイズが受信側電源回路部２７を介して受信側電源回路部２７に接続される外部電源（図示しない）への漏れを低減できるとともに、外部電源（図示しない）からの外部電源ノイズが受信側基準信号発生回路部２６に混入することを低減できる。
【００８２】
図３（ｂ）はプリント基板４０の一部分を拡大した断面図であり、プリント基板４０を積層基板とした場合における各層間に配設されたパターンの様子を示したものである。プリント基板４０は、表面層４１と、複数の中間層４２、４３、４４、４５と、裏面層４６とからなる積層基板であって、表面層４１に映像信号デジタル・アナログ変換回路部２１、高周波受信回路部２４及び受信側制御回路部２５が配設され、裏面層４６に音声信号デジタル・アナログ変換回路部２２、受信信号処理回路部２３、受信側基準信号発生回路部２６及び受信側電源回路部２７が配設され、前記複数の中間層の少なくとも１層、図３（ｂ）では、例えば中間層４３に前記各回路部に係わるアースパターンが配設されている。そして、前記各回路部と前記アースパターンとは、スルホール孔（図示しない）で接続されている。
【００８３】
すなわち、表面層４１に配設された映像信号デジタル・アナログ変換回路部２１、高周波受信回路部２４及び受信側制御回路部２５と、裏面層４６に配設された音声信号デジタル・アナログ変換回路部２２、受信信号処理回路部２３、受信側基準信号発生回路部２６及び受信側電源回路部２７とを、中間層４３に配設された前記アースパターンにより電磁遮蔽することにより、プリント基板４０の表裏両面にそれぞれ配設された回路間の分離効果をさらに高めるものである。
【００８４】
したがって、高周波受信回路部２４とデジタル信号を扱う受信信号処理回路部２３とをプリント基板４０の表裏に分離配設し、さらに前記アースパターンにより電磁遮蔽することにより、受信信号処理回路部２３から発生するデジタル信号ノイズが高周波受信回路部２４に混入することをより効果的に低減できる。
【００８５】
また、高周波受信回路部２４と前記基準信号（例えば４４ＭＨｚ）を発生する受信側基準信号発生回路部２６とをプリント基板４０の表裏に分離配設し、さらに前記アースパターンにより電磁遮蔽することにより、受信側基準信号発生回路部２６から発生する基準信号（例えば４４ＭＨｚ）及びその高調波成分ノイズが高周波受信回路部２４に混入することをより効果的に低減できる。
【００８６】
また、高周波受信回路部２４と受信側電源回路部２７とをプリント基板４０の表裏に分離配設し、さらに前記アースパターンにより電磁遮蔽することにより、受信側電源回路部２７から発生する電源ノイズが高周波受信回路部２４に混入することをより効果的に低減できる。さらに、受信側電源回路部２７が接続される外部電源（図示しない）からの外部電源ノイズが高周波受信回路部２４に混入することをより効果的に低減できる。
【００８７】
また、映像信号デジタル・アナログ変換回路部２１と音声信号デジタル・アナログ変換回路部２２とをプリント基板４０の表裏に分離配設し、さらに前記アースパターンにより電磁遮蔽することにより、映像信号と音声信号との間の相互干渉をより効果的に低減できる。
【００８８】
図３（ｂ）において、表面層４１と前記アースパターンが配設された中間層４３とに挟まれた他の中間層の少なくとも１層、図３（ｂ）では、例えば中間層４２に、前記受信側電源回路部２７が電源を供給する各回路部との接続に係わる電源パターンが配設されている。そして、受信側電源回路部２７と前記電源パターンとは、スルホール孔（図示しない）で接続されている。
【００８９】
すなわち、表面層４１に配設された映像信号デジタル・アナログ変換回路部２１、高周波受信回路部２４及び受信側制御回路部２５と、裏面層４６に配設された音声信号デジタル・アナログ変換回路部２２、受信信号処理回路部２３、受信側基準信号発生回路部２６及び受信側電源回路部２７とを、中間層４３に配設された前記アースパターン及び中間層４２に配設された前記電源パターンの両パターンにより２重に電磁遮蔽することにより、プリント基板４０の表裏両面にそれぞれ配設された回路間の分離効果をさらに高めるものである。
【００９０】
したがって、高周波受信回路部２４とデジタル信号を扱う受信信号処理回路部２３とをプリント基板４０の表裏に分離配設し、さらに前記アースパターン及び前記電源パターンの両パターンにより２重に電磁遮蔽することにより、受信信号処理回路部４３から発生するデジタル信号ノイズが高周波受信回路部２４に混入することをより効果的に低減できる。
【００９１】
また、高周波受信回路部２４と前記基準信号（例えば４４ＭＨｚ）を発生する受信側基準信号発生回路部２６とをプリント基板４０の表裏に分離配設し、さらに前記アースパターン及び前記電源パターンの両パターンにより２重に電磁遮蔽することにより、受信側基準信号発生回路部２６から発生する基準信号（例えば４４ＭＨｚ）及びその高調波成分ノイズが高周波受信回路部２４に混入することをより効果的に低減できる。
【００９２】
また、高周波受信回路部２４と受信側電源回路部２７とをプリント基板４０の表裏に分離配設し、さらに前記アースパターン及び前記電源パターンの両パターンにより２重に電磁遮蔽することにより、受信側電源回路部２７から発生する電源ノイズが高周波受信回路部２４に混入することをより効果的に低減できる。さらに、受信側電源回路部２７が接続される外部電源（図示しない）からの外部電源ノイズが高周波受信回路部２４に混入することをより効果的に低減できる。
【００９３】
また、映像信号デジタル・アナログ変換回路部２１と音声信号デジタル・アナログ変換回路部２２とをプリント基板４０の表裏に分離配設し、さらに前記アースパターン及び前記電源パターンの両パターンにより２重に電磁遮蔽することにより、映像信号と音声信号との間の相互干渉をより効果的に低減できる。
【００９４】
図３（ｂ）において、裏面層４６と前記アースパターンが配設された中間層４３とに挟まれた他の中間層の少なくとも１層、図３（ｂ）では、例えば中間層４５に受信信号処理回路部２３に係わる信号パターンが配設されている。そして、受信信号処理回路部２３と前記信号パターンとは、スルホール孔（図示しない）で接続されている。
【００９５】
すなわち、デジタル信号を扱う受信信号処理回路部２３に係わる信号パターンを中間層４５に配設することにより、前記信号パターンから放射されるデジタル信号ノイズを低減することができる。
【００９６】
図５は、本発明の実施形態に係わるビデオ無線送受信システムの概略的構成を示すブロック回路図である。図５の本実施形態のビデオ無線送受信システム１は、図１及び図２を参照して説明した本実施形態のビデオ無線送信機１０と、図３及び図４を参照して説明した本実施形態のビデオ無線受信機２０とから構成されている。
【００９７】
したがって、ビデオ無線送信機１０及びビデオ無線受信機２０それぞれの回路構成、回路動作及び各回路のプリント基板上での配設等については、ビデオ無線送信機１０が図１及び図２、ビデオ無線受信機２０が図３及び図４で説明した内容と同じであり、同じ番号を付してビデオ無線送信機１０及びビデオ無線受信機２０個々の説明を省略し、図５のビデオ無線送受信システム１のシステムとしての動作について以下に説明する。
【００９８】
ビデオ無線送信機１０において、入力端子１９ａ、１９ｂに、例えばビデオテープレコーダー等（図示しない）を接続することにより、前記ビデオテープレコーダー等（図示しない）の映像信号及び音声信号を高周波信号に変換し、アンテナ１８から離れた場所に設置されたビデオ無線受信機２０へ送信する。
【００９９】
また、ビデオ無線受信機２０において、ビデオ無線送信機１０から送信された高周波信号をアンテナ２８で受信し、もとの映像信号及び音声信号に変換して出力端子２９ａ、２９ｂから出力する。そして、出力端子２９ａ、２９ｂに例えばテレビジョン等（図示しない）を接続することにより、前記ビデオテープレコーダー等（図示しない）の映像と音声を離れた場所に設置された前記テレビジョン等（図示しない）で視聴することができる。
【０１００】
また、前記ビデオテープレコーダー等（図示しない）に屋外アンテナを接続し、前記ビデオテープレコーダー等（図示しない）において、テレビジョン放送を選局し、選局したテレビジョン放送の映像信号及び音声信号を出力するようにしておけば、屋内でテレビジョン信号を良好に受信できない場所においても、前記テレビジョン等（図示しない）にて前記テレビジョン放送を視聴することができる。
【０１０１】
また、ビデオ無線送信機１０とビデオ無線受信機２０との間の通信方式として、例えば高周波信号の周波数帯域が２．４ＧＨｚ帯であり、スペクトラム拡散（Ｓｐｒｅａｄ  Ｓｐｅｃｔｒｕｍ）技術を用いている。一般にスペクトラム拡散技術を利用した通信方式においては、送信側でアナログ映像信号及びアナログ音声信号等の入力ベースバンド信号が変調され、さらに拡散符号を使用してスペクトラム拡散された後、高周波信号として送信される。そして、受信側で受信したスペクトラム拡散信号は、送信側と同一の拡散符号を使用して復調（逆拡散）されて、もとのアナログ映像信号及びアナログ音声信号等となる。
【０１０２】
次に、図１のビデオ無線送信機１０のプリント基板３０上の各回路の配設を示す略示図と、図３のビデオ無線受信機２０のプリント基板４０上の各回路の配設を示す略示図とを参照して、それらの各回路の配設の様子について以下に説明する。図１のビデオ無線送信機１０のプリント基板３０上の各回路の配設と、図３のビデオ無線受信機２０のプリント基板４０上の各回路の配設とを比較する。
【０１０３】
図１（ａ）のプリント基板３０及び図３（ａ）のプリント基板４０それぞれの一方の面において、映像信号アナログ・デジタル変換回路部１１が映像信号デジタル・アナログ変換回路部２１に、高周波送信回路部１４が高周波受信回路部２４に、送信側制御回路部１５が受信側制御回路部２５にそれぞれ対応して同じ位置に配設されている。
【０１０４】
また、図１（ｃ）のプリント基板３０及び図３（ｃ）のプリント基板４０それぞれの他方の面において、音声信号アナログ・デジタル変換回路部１２が音声信号デジタル・アナログ変換回路部２２に、送信信号処理回路部１３が受信信号処理回路部２３に、送信側基準信号発生回路部１６が受信側基準信号発生回路部２６に、送信側電源回路部１７が受信側電源回路部２７にそれぞれ対応して同じ位置に配設されている。
【０１０５】
また、図１（ｂ）のプリント基板３０及び図３（ｂ）のプリント基板４０それぞれの複数の中間層におけるパターンの配設において、中間層３３のアースパターンが中間層４３のアースパターンに、中間層３２の電源パターンが中間層４２の電源パターンに、中間層３５の信号パターンが中間層４５の信号パターンにそれぞれ対応して同じ位置に配設されている。
【０１０６】
上述のように、ビデオ無線送信機１０とビデオ無線受信機２０において、送信側と受信側でそれぞれ対応する機能を有する回路ブロックをプリント基板３０及びプリント基板４０のそれぞれ同じ位置に対応させて配設することで、設計の共通化を図ることができる。
【０１０７】
【発明の効果】
以上のように、本発明は、入力されたアナログ映像信号をデジタル映像信号に変換する映像信号アナログ・デジタル変換回路部と、入力されたアナログ音声信号をデジタル音声信号に変換する音声信号アナログ・デジタル変換回路部と、前記デジタル映像信号及びデジタル音声信号をパケット化された送信ベースバンド信号に変換する送信信号処理回路部と、前記送信ベースバンド信号を高周波信号に変換する高周波送信回路部と、前記送信信号処理回路部の動作を制御する送信側制御回路部と、前記送信信号処理回路部及び高周波送信回路部に係わる基準信号を発生する送信側基準信号発生回路部と、前記各回路部に電源を供給する送信側電源回路部とを、略四角形状のプリント基板の表裏両面に配設してなるビデオ無線送信機であって、
前記プリント基板の一方の面に、前記映像信号アナログ・デジタル変換回路部、高周波送信回路部及び送信側制御回路部が配設され、前記プリント基板の他方の面に、前記音声信号アナログ・デジタル変換回路部、送信信号処理回路部、送信側基準信号発生回路部及び送信側電源回路部が配設されていることを特徴とするものである。
【０１０８】
したがって、本発明によれば、高周波送信回路部とデジタル信号を扱う送信信号処理回路部とをプリント基板の表裏に分離配設することにより、前記送信信号処理回路部から発生するデジタル信号ノイズが前記高周波送信回路部に混入することを低減できる。
【０１０９】
また、前記高周波送信回路部と前記基準信号を発生する送信側基準信号発生回路部とをプリント基板の表裏に分離配設することにより、前記送信側基準信号発生回路部から発生する基準信号及びその高調波成分ノイズが前記高周波送信回路部に混入することを低減できる。
【０１１０】
また、前記高周波送信回路部と前記送信側電源回路部とをプリント基板の表裏に分離配設することにより、前記送信側電源回路部から発生する電源ノイズが前記高周波送信回路部に混入することを低減できる。さらに、前記送信側電源回路部が接続される外部電源からの外部電源ノイズが前記高周波送信回路部に混入することを低減できる。
【０１１１】
また、前記映像信号アナログ・デジタル変換回路部と前記音声信号アナログ・デジタル変換回路部とをプリント基板の表裏に分離配設することにより、映像信号と音声信号との間の相互干渉を低減できる。
【０１１２】
すなわち、上述のように、各回路間の信号の相互干渉及び他回路からの異なる信号及びノイズの混入等を低減させることで通信信号の欠落や誤り率の劣化を防止することにより、映像及び音声を良好に送信できるビデオ無線送信機を提供することができる。
【０１１３】
また、本発明は、前記プリント基板の一方の面において、前記プリント基板の第１の辺に近接して前記高周波送信回路部が配設され、前記第１の辺に隣り合う第２の辺と前記第１の辺に対向する第４の辺との両辺に近接して前記送信側制御回路部が配設され、前記第１の辺に隣り合う第３の辺と前記第１の辺に対向する第４の辺との両辺に近接して前記映像信号アナログ・デジタル変換回路部が配設されていることを特徴とするものである。
【０１１４】
したがって、本発明によれば、前記プリント基板の一方の面において、前記高周波送信回路部を第１の辺側に、前記送信側制御回路部及び映像信号アナログ・デジタル変換回路部を第１の辺に対向する第４の辺側に、それぞれ分離配設することにより、前記送信側制御回路部及び映像信号アナログ・デジタル変換回路部から発生するデジタル信号ノイズが前記高周波送信回路部に混入することを低減できる。
【０１１５】
すなわち、上述のように、各回路間のノイズの混入等を低減させることで通信信号の欠落や誤り率の劣化を防止することにより、映像及び音声を良好に送信できるビデオ無線送信機を提供することができる。
【０１１６】
また、本発明は、前記プリント基板の他方の面において、前記プリント基板の第１の辺に近接して前記送信信号処理回路部が配設され、前記第１の辺に隣り合う第２の辺と前記第１の辺に対向する第４の辺とで挟まれた一隅に前記送信側基準信号発生回路部が配設され、前記第１の辺に隣り合う第３の辺と前記第１の辺に対向する第４の辺とで挟まれた一隅に前記送信側電源回路部が配設され、前記送信側基準信号発生回路部と前記送信側電源回路部に挟まれ前記第４の辺に近接して前記音声信号アナログ・デジタル変換回路部が配設されていることを特徴とするものである。
【０１１７】
したがって、本発明によれば、前記プリント基板の他方の面において、前記送信信号処理回路部を第１の辺側に、前記音声信号アナログ・デジタル変換回路部を第１の辺に対向する第４の辺側に、それぞれ分離配設することにより、前記送信信号処理回路部から発生するデジタル信号ノイズが前記音声信号アナログ・デジタル変換回路部に混入することを低減できる。
【０１１８】
また、前記送信信号処理回路部を第１の辺ａ側に、前記送信側電源回路部を第１の辺に対向する第４の辺側に、それぞれ分離配設することにより、前記送信信号処理回路部から発生するデジタル信号ノイズが前記送信側電源回路部を介して前記送信側電源回路部に接続される外部電源への漏れを低減できるとともに、前記外部電源からの外部電源ノイズが前記送信信号処理回路部に混入することを低減できる。
【０１１９】
また、前記送信側基準信号発生回路部を第２の辺と第４の辺とで挟まれた一隅に配設し、前記送信側電源回路部を第３の辺と第４の辺とで挟まれた一隅に配設し、前記送信側基準信号発生回路部と前記送信側電源回路部との間隔を第４の辺側で最大限離すことにより、前記送信側基準信号発生回路部から発生する基準信号及びその高調波成分ノイズが前記送信側電源回路部を介して前記送信側電源回路部に接続される前記外部電源への漏れを低減できるとともに、前記外部電源からの外部電源ノイズが前記送信側基準信号発生回路部に混入することを低減できる。
【０１２０】
すなわち、上述のように、他回路からの異なる信号及びノイズの混入等を低減させることで通信信号の欠落や誤り率の劣化を防止することにより、映像及び音声を良好に送信できるビデオ無線送信機を提供することができる。
【０１２１】
また、本発明は、前記プリント基板が、表面層と、複数の中間層と、裏面層とからなる積層基板であって、前記表面層に前記映像信号アナログ・デジタル変換回路部、高周波送信回路部及び送信側制御回路部が配設され、前記裏面層に前記音声信号アナログ・デジタル変換回路部、送信信号処理回路部、送信側基準信号発生回路部及び送信側電源回路部が配設され、前記複数の中間層の少なくとも１層に、前記各回路部に係わるアースパターンが配設されていることを特徴とするものである。
【０１２２】
したがって、本発明によれば、前記表面層に配設された前記映像信号アナログ・デジタル変換回路部、高周波送信回路部及び送信側制御回路部と、前記裏面層に配設された前記音声信号アナログ・デジタル変換回路部、送信信号処理回路部、送信側基準信号発生回路部及び送信側電源回路部とを、前記中間層に配設された前記アースパターンにより電磁遮蔽することにより、プリント基板の表裏両面にそれぞれ配設された回路間の分離効果をさらに高めるものである。
【０１２３】
したがって、前記高周波送信回路部とデジタル信号を扱う前記送信信号処理回路部とをプリント基板の表裏に分離配設し、さらに前記アースパターンにより電磁遮蔽することにより、前記送信信号処理回路部から発生するデジタル信号ノイズが前記高周波送信回路部に混入することをより効果的に低減できる。
【０１２４】
また、前記高周波送信回路部と前記基準信号を発生する前記送信側基準信号発生回路部とをプリント基板の表裏に分離配設し、さらに前記アースパターンにより電磁遮蔽することにより、前記送信側基準信号発生回路部から発生する基準信号及びその高調波成分ノイズが前記高周波送信回路部に混入することをより効果的に低減できる。
【０１２５】
また、前記高周波送信回路部と前記送信側電源回路部とをプリント基板の表裏に分離配設し、さらに前記アースパターンにより電磁遮蔽することにより、前記送信側電源回路部から発生する電源ノイズが前記高周波送信回路部に混入することをより効果的に低減できる。さらに、前記送信側電源回路部が接続される外部電源からの外部電源ノイズが前記高周波送信回路部に混入することをより効果的に低減できる。
【０１２６】
また、前記映像信号アナログ・デジタル変換回路部と前記音声信号アナログ・デジタル変換回路部とをプリント基板の表裏に分離配設し、さらに前記アースパターンにより電磁遮蔽することにより、映像信号と音声信号との間の相互干渉をより効果的に低減できる。
【０１２７】
すなわち、上述のように、各回路間の信号の相互干渉及び他回路からの異なる信号及びノイズの混入等をより効果的に低減させることで通信信号の欠落や誤り率の劣化を防止することにより、映像及び音声をより良好に送信できるビデオ無線送信機を提供することができる。
【０１２８】
また、本発明は、前記表面層と前記アースパターンが配設された中間層とに挟まれた他の中間層の少なくとも１層に、前記送信側電源回路部が電源を供給する各回路部との接続に係わる電源パターンが配設されていることを特徴とするものである。
【０１２９】
したがって、本発明によれば、前記表面層に配設された前記映像信号アナログ・デジタル変換回路部、高周波送信回路部及び送信側制御回路部と、前記裏面層に配設された前記音声信号アナログ・デジタル変換回路部、送信信号処理回路部、送信側基準信号発生回路部及び送信側電源回路部とを、前記中間層に配設された前記アースパターン及び前記中間層に配設された前記電源パターンの両パターンにより２重に電磁遮蔽することにより、プリント基板の表裏両面にそれぞれ配設された回路間の分離効果をさらに高めるものである。
【０１３０】
したがって、前記高周波送信回路部とデジタル信号を扱う前記送信信号処理回路部とをプリント基板の表裏に分離配設し、さらに前記アースパターン及び前記電源パターンの両パターンにより２重に電磁遮蔽することにより、前記送信信号処理回路部から発生するデジタル信号ノイズが前記高周波送信回路部に混入することをより効果的に低減できる。
【０１３１】
また、前記高周波送信回路部と前記基準信号を発生する前記送信側基準信号発生回路部とをプリント基板の表裏に分離配設し、さらに前記アースパターン及び前記電源パターンの両パターンにより２重に電磁遮蔽することにより、前記送信側基準信号発生回路部から発生する前記基準信号及びその高調波成分ノイズが前記高周波送信回路部に混入することをより効果的に低減できる。
【０１３２】
また、前記高周波送信回路部と前記送信側電源回路部とをプリント基板の表裏に分離配設し、さらに前記アースパターン及び前記電源パターンの両パターンにより２重に電磁遮蔽することにより、前記送信側電源回路部から発生する電源ノイズが前記高周波送信回路部に混入することをより効果的に低減できる。さらに、前記送信側電源回路部が接続される前記外部電源からの外部電源ノイズが前記高周波送信回路部に混入することをより効果的に低減できる。
【０１３３】
また、前記映像信号アナログ・デジタル変換回路部と前記音声信号アナログ・デジタル変換回路部とをプリント基板の表裏に分離配設し、さらに前記アースパターン及び前記電源パターンの両パターンにより２重に電磁遮蔽することにより、映像信号と音声信号との間の相互干渉をより効果的に低減できる。
【０１３４】
すなわち、上述のように、各回路間の信号の相互干渉及び他回路からの異なる信号及びノイズの混入等をさらにより効果的に低減させることで通信信号の欠落や誤り率の劣化を防止することにより、映像及び音声をさらにより良好に送信できるビデオ無線送信機を提供することができる。
【０１３５】
また、本発明は、前記裏面層と前記アースパターンが配設された中間層とに挟まれた他の中間層の少なくとも１層に、前記送信信号処理回路部に係わる信号パターンが配設されていることを特徴とするものである。
【０１３６】
したがって、本発明によれば、デジタル信号を扱う前記送信信号処理回路部に係わる信号パターンを前記中間層に配設することにより、前記信号パターンから放射されるデジタル信号ノイズを低減することができる。
【０１３７】
すなわち、上述のように、各回路間のノイズの混入等を低減させることで通信信号の欠落や誤り率の劣化を防止することにより、映像及び音声を良好に送信できるビデオ無線送信機を提供することができる。
【０１３８】
また、本発明は、入力された高周波信号をパケット化された受信ベースバンド信号に変換する高周波受信回路部と、前記パケット化された受信ベースバンド信号をもとのデジタル映像信号及びデジタル音声信号に変換する受信信号処理回路部と、前記デジタル映像信号をアナログ映像信号に変換する映像信号デジタル・アナログ変換回路部と、前記デジタル音声信号をアナログ音声信号に変換する音声信号デジタル・アナログ変換回路部と、前記受信信号処理回路部の動作を制御する受信側制御回路部と、前記受信信号処理回路部及び高周波受信路部に係わる基準信号を発生する受信側基準信号発生回路部と、前記各回路部に電源を供給する受信側電源回路部とを、略四角形状のプリント基板の表裏両面に配設してなるビデオ無線受信機であって、
前記プリント基板の一方の面に、前記高周波受信回路部、映像信号デジタル・アナログ変換回路部及び受信側制御回路部が配設され、前記プリント基板の他方の面に、前記受信信号処理回路部、音声信号デジタル・アナログ変換回路部、受信側基準信号発生回路部及び受信側電源回路部が配設されていることを特徴とするものである。
【０１３９】
したがって、本発明によれば、前記高周波受信回路部とデジタル信号を扱う前記受信信号処理回路部とをプリント基板の表裏に分離配設することにより、前記受信信号処理回路部から発生するデジタル信号ノイズが前記高周波受信回路部に混入することを低減できる。
【０１４０】
また、前記高周波受信回路部と前記基準信号を発生する前記受信側基準信号発生回路部とをプリント基板の表裏に分離配設することにより、前記受信側基準信号発生回路部から発生する基準信号及びその高調波成分ノイズが前記高周波受信回路部に混入することを低減できる。
【０１４１】
また、前記高周波受信回路部と前記受信側電源回路部とをプリント基板の表裏に分離配設することにより、前記受信側電源回路部から発生する電源ノイズが前記高周波受信回路部に混入することを低減できる。さらに、前記受信側電源回路部が接続される外部電源からの外部電源ノイズが前記高周波受信回路部に混入することを低減できる。
【０１４２】
また、前記映像信号デジタル・アナログ変換回路部と前記音声信号デジタル・アナログ変換回路部とをプリント基板の表裏に分離配設することにより、映像信号と音声信号との間の相互干渉を低減できる。
【０１４３】
すなわち、上述のように、各回路間の信号の相互干渉及び他回路からの異なる信号及びノイズの混入等を低減させることで通信信号の欠落や誤り率の劣化を防止することにより、映像及び音声を良好に受信できるビデオ無線受信機を提供することができる。
【０１４４】
また、本発明は、前記プリント基板の一方の面において、前記プリント基板の第１の辺に近接して前記高周波受信回路部が配設され、前記第１の辺に隣り合う第２の辺と前記第１の辺に対向する第４の辺との両辺に近接して前記受信側制御回路部が配設され、前記第１の辺に隣り合う第３の辺と前記第１の辺に対向する第４の辺との両辺に近接して前記映像信号デジタル・アナログ変換回路部が配設されていることを特徴とするものである。
【０１４５】
したがって、本発明によれば、前記プリント基板の一方の面において、前記高周波受信回路部を第１の辺側に、前記受信側制御回路部及び映像信号デジタル・アナログ変換回路部を第１の辺に対向する第４の辺側に、それぞれ分離配設することにより、前記受信側制御回路部及び映像信号デジタル・アナログ変換回路部から発生するデジタル信号ノイズが前記高周波受信回路部に混入することを低減できる。
【０１４６】
すなわち、上述のように、各回路間のノイズの混入等を低減させることで通信信号の欠落や誤り率の劣化を防止することにより、映像及び音声を良好に送信できるビデオ無線受信機を提供することができる。
【０１４７】
また、本発明は、前記プリント基板の他方の面において、前記プリント基板の第１の辺に近接して前記受信信号処理回路部が配設され、前記第１の辺に隣り合う第２の辺と前記第１の辺に対向する第４の辺とで挟まれた一隅に前記受信側基準信号発生回路部が配設され、前記第１の辺に隣り合う第３の辺と前記第１の辺に対向する第４の辺とで挟まれた一隅に前記受信側電源回路部が配設され、前記受信側基準信号発生回路部と前記受信側電源回路部に挟まれ前記第４の辺に近接して前記音声信号デジタル・アナログ変換回路部が配設されていることを特徴とするものである。
【０１４８】
したがって、本発明によれば、前記プリント基板の他方の面において、前記受信信号処理回路部を第１の辺側に、前記音声信号デジタル・アナログ変換回路部を第１の辺に対向する第４の辺側に、それぞれ分離配設することにより、前記受信信号処理回路部から発生するデジタル信号ノイズが前記音声信号デジタル・アナログ変換回路部に混入することを低減できる。
【０１４９】
また、前記受信信号処理回路部を第１の辺側に、前記受信側電源回路部を第１の辺に対向する第４の辺側に、それぞれ分離配設することにより、前記受信信号処理回路部から発生するデジタル信号ノイズが前記受信側電源回路部を介して前記受信側電源回路部に接続される外部電源への漏れを低減できるとともに、前記外部電源からの外部電源ノイズが前記受信信号処理回路部に混入することを低減できる。
【０１５０】
また、前記受信側基準信号発生回路部を第２の辺と第４の辺とで挟まれた一隅に配設し、前記受信側電源回路部を第３の辺と第４の辺とで挟まれた一隅に配設し、前記受信側基準信号発生回路部と前記受信側電源回路部との間隔を第４の辺側で最大限離すことにより、前記受信側基準信号発生回路部から発生する基準信号及びその高調波成分ノイズが前記受信側電源回路部を介して前記受信側電源回路部に接続される外部電源への漏れを低減できるとともに、前記外部電源からの外部電源ノイズが前記受信側基準信号発生回路部に混入することを低減できる。
【０１５１】
すなわち、上述のように、他回路からの異なる信号及びノイズの混入等を低減させることで通信信号の欠落や誤り率の劣化を防止することにより、映像及び音声を良好に送信できるビデオ無線受信機を提供することができる。
【０１５２】
また、本発明は、前記プリント基板が、表面層と、複数の中間層と、裏面層とからなる積層基板であって、前記表面層に前記高周波受信回路部、映像信号デジタル・アナログ変換回路部及び受信側制御回路部が配設され、前記裏面層に前記受信信号処理回路部、音声信号デジタル・アナログ変換回路部、受信側基準信号発生回路部及び受信側電源回路部が配設され、前記複数の中間層の少なくとも１層に、前記各回路部に係わるアースパターンが配設されていることを特徴とするものである。
【０１５３】
したがって、本発明によれば、前記表面層に配設された前記映像信号デジタル・アナログ変換回路部、高周波受信回路部及び受信側制御回路部と、前記裏面層に配設された前記音声信号デジタル・アナログ変換回路部、受信信号処理回路部、受信側基準信号発生回路部及び受信側電源回路部とを、前記中間層に配設された前記アースパターンにより電磁遮蔽することにより、プリント基板の表裏両面にそれぞれ配設された回路間の分離効果をさらに高めるものである。
【０１５４】
したがって、前記高周波受信回路部とデジタル信号を扱う前記受信信号処理回路部とをプリント基板の表裏に分離配設し、さらに前記アースパターンにより電磁遮蔽することにより、前記受信信号処理回路部から発生するデジタル信号ノイズが前記高周波受信回路部に混入することをより効果的に低減できる。
【０１５５】
また、前記高周波受信回路部と前記基準信号を発生する前記受信側基準信号発生回路部とをプリント基板の表裏に分離配設し、さらに前記アースパターンにより電磁遮蔽することにより、前記受信側基準信号発生回路部から発生する基準信号及びその高調波成分ノイズが前記高周波受信回路部に混入することをより効果的に低減できる。
【０１５６】
また、前記高周波受信回路部と前記受信側電源回路部とをプリント基板の表裏に分離配設し、さらに前記アースパターンにより電磁遮蔽することにより、前記受信側電源回路部から発生する電源ノイズが前記高周波受信回路部に混入することをより効果的に低減できる。さらに、前記受信側電源回路部が接続される外部電源からの外部電源ノイズが前記高周波受信回路部に混入することをより効果的に低減できる。
【０１５７】
また、前記映像信号デジタル・アナログ変換回路部と前記音声信号デジタル・アナログ変換回路部とをプリント基板の表裏に分離配設し、さらに前記アースパターンにより電磁遮蔽することにより、映像信号と音声信号との間の相互干渉をより効果的に低減できる。
【０１５８】
すなわち、上述のように、各回路間の信号の相互干渉及び他回路からの異なる信号及びノイズの混入等をより効果的に低減させることで通信信号の欠落や誤り率の劣化を防止することにより、映像及び音声をより良好に送信できるビデオ無線受信機を提供することができる。
【０１５９】
また、本発明は、前記表面層と前記アースパターンが配設された中間層とに挟まれた他の中間層の少なくとも１層に、前記受信側電源回路部が電源を供給する各回路部との接続に係わる電源パターンが配設されていることを特徴とするものである。
【０１６０】
したがって、本発明によれば、前記表面層に配設された前記映像信号デジタル・アナログ変換回路部、高周波受信回路部及び受信側制御回路部と、前記裏面層に配設された前記音声信号デジタル・アナログ変換回路部、受信信号処理回路部、受信側基準信号発生回路部及び受信側電源回路部とを、前記中間層に配設された前記アースパターン及び前記中間層に配設された前記電源パターンの両パターンにより２重に電磁遮蔽することにより、プリント基板の表裏両面にそれぞれ配設された回路間の分離効果をさらに高めるものである。
【０１６１】
したがって、前記高周波受信回路部とデジタル信号を扱う前記受信信号処理回路部とをプリント基板の表裏に分離配設し、さらに前記アースパターン及び前記電源パターンの両パターンにより２重に電磁遮蔽することにより、前記受信信号処理回路部から発生するデジタル信号ノイズが前記高周波受信回路部に混入することをより効果的に低減できる。
【０１６２】
また、前記高周波受信回路部と前記基準信号を発生する前記受信側基準信号発生回路部とをプリント基板の表裏に分離配設し、さらに前記アースパターン及び前記電源パターンの両パターンにより２重に電磁遮蔽することにより、前記受信側基準信号発生回路部から発生する基準信号及びその高調波成分ノイズが前記高周波受信回路部に混入することをより効果的に低減できる。
【０１６３】
また、前記高周波受信回路部と前記受信側電源回路部とをプリント基板の表裏に分離配設し、さらに前記アースパターン及び前記電源パターンの両パターンにより２重に電磁遮蔽することにより、前記受信側電源回路部から発生する電源ノイズが前記高周波受信回路部に混入することをより効果的に低減できる。さらに、前記受信側電源回路部が接続される外部電源からの外部電源ノイズが前記高周波受信回路部に混入することをより効果的に低減できる。
【０１６４】
また、前記映像信号デジタル・アナログ変換回路部と前記音声信号デジタル・アナログ変換回路部とをプリント基板の表裏に分離配設し、さらに前記アースパターン及び前記電源パターンの両パターンにより２重に電磁遮蔽することにより、映像信号と音声信号との間の相互干渉をより効果的に低減できる。
【０１６５】
すなわち、上述のように、各回路間の信号の相互干渉及び他回路からの異なる信号及びノイズの混入等をさらにより効果的に低減させることで通信信号の欠落や誤り率の劣化を防止することにより、映像及び音声をさらにより良好に送信できるビデオ無線受信機を提供することができる。
【０１６６】
また、本発明は、前記裏面層と前記アースパターンが配設された中間層とに挟まれた他の中間層の少なくとも１層に、前記受信信号処理回路部に係わる信号パターンが配設されていることを特徴とするものである。
【０１６７】
したがって、本発明によれば、デジタル信号を扱う前記受信信号処理回路部に係わる信号パターンを前記中間層に配設することにより、前記信号パターンから放射されるデジタル信号ノイズを低減することができる。
【０１６８】
すなわち、上述のように、各回路間のノイズの混入等を低減させることで通信信号の欠落や誤り率の劣化を防止することにより、映像及び音声を良好に送信できるビデオ無線受信機を提供することができる。
【０１６９】
また、本発明のビデオ無線送受信システムは、前記ビデオ無線送信機と、前記ビデオ無線受信機とで構成されていることを特徴とするものである。
【０１７０】
したがって、本発明によれば、ビデオ無線送信機及びビデオ無線受信機それぞれにおいて、前述のように各回路間の信号の相互干渉及び他回路からの異なる信号及びノイズの混入等を低減させることで通信信号の欠落や誤り率の劣化を防止することにより、映像及び音声を良好に送信できるビデオ無線送受信システムを提供することができる。
【０１７１】
また、前述のように、ビデオ無線送信機とビデオ無線受信機において、送信側と受信側でそれぞれ対応する機能を有する回路ブロックをそれぞれのプリント基板の同じ位置に対応させて配設することで、設計の共通化を図ることができる。
【図面の簡単な説明】
【図１】本発明の実施形態に係わるビデオ無線送信機のプリント基板上の各回路の配設を示す略示図であり、（ａ）は前記プリント基板の一方の面から見た平面図であり、（ｂ）は前記プリント基板の一部分を拡大した断面図であり、（ｃ）は前記プリント基板の他方の面から見た平面図である。
【図２】本発明の実施形態に係わるビデオ無線送信機の概略的構成を示すブロック回路図である。
【図３】本発明の実施形態に係わるビデオ無線受信機のプリント基板上の各回路の配設を示す略示図であり、（ａ）は前記プリント基板の一方の面から見た平面図であり、（ｂ）は前記プリント基板の一部分を拡大した断面図であり、（ｃ）は前記プリント基板の他方の面から見た平面図である。
【図４】本発明の実施形態に係わるビデオ無線受信機の概略的構成を示すブロック回路図である。
【図５】本発明の実施形態に係わるビデオ無線送受信システムの概略的構成を示すブロック回路図である。
【図６】従来のビデオ無線送受信システムの概略的構成を示すブロック回路図である。
【符号の説明】
１  ビデオ無線送受信システム
１０  ビデオ無線送信機
１１  映像信号アナログ・デジタル変換回路部
１２  音声信号アナログ・デジタル変換回路部
１３  送信信号処理回路部
１４  高周波送信回路部
１５  送信側制御回路部
１６  送信側基準信号発生回路部
１７  送信側電源回路部
１８  アンテナ
２０  ビデオ無線受信機
２１  映像信号デジタル・アナログ変換回路部
２２  音声信号デジタル・アナログ変換回路部
２３  受信信号処理回路部
２４  高周波受信回路部
２５  受信側制御回路部
２６  受信側基準信号発生回路部
２７  受信側電源回路部
２８  アンテナ
３０  プリント基板
３０ａ  第１の辺
３０ｂ  第２の辺
３０ｃ  第３の辺
３０ｄ  第４の辺
３１  表面層
３２  中間層（電源パターン）
３３  中間層（アースパターン）
３４  中間層
３５  中間層（信号パターン）
３６  裏面層
４０  プリント基板
４０ａ  第１の辺
４０ｂ  第２の辺
４０ｃ  第３の辺
４０ｄ  第４の辺
４１  表面層
４２  中間層（電源パターン）
４３  中間層（アースパターン）
４４  中間層
４５  中間層（信号パターン）
４６  裏面層
【図１】
0003908926.tif 000002
【図２】
0003908926.tif 000003
【図３】
0003908926.tif 000004
【図４】
0003908926.tif 000005
【図５】
0003908926.tif 000006
【図６】
0003908926.tif 000007